(57)【要約】本発明に係るデータ伝送システムは操作デバイス及びマトリックス表示装置を備える。マトリックス表示装置は表示パネル及び制御ユニットを有する。制御ユニットはデータストリームを受信し、データストリームの少なくとも一部を表示パネルの電極に伝送する。操作デバイスがマトリックス表示装置の表示面において操作された時、データストリームの少なくとも一部はマトリックス表示装置から操作デバイスにカップリングされることができる。よって、本発明に係るデータ伝送システムは、マトリックス表示装置にデータまたはファイルなどのデータストリームを無線通信の方式によって、操作デバイスに伝送させることができると共に、近距離無線通信に合わせて応用し、表示装置を介してデータまたはファイルを他の電子装置に伝送することで、表示装置の応用性を拡大させることができる。【選択図】図１
2015513814.tif 000002
【特許請求の範囲】
【請求項１】
操作デバイスと、
表示パネルと制御ユニットを有するマトリックス表示装置とを備え、
前記制御ユニットはデータストリームを受信し、前記データストリームの少なくとも一部を前記表示パネルの電極に伝送し、
前記操作デバイスが前記マトリックス表示装置の表示面において操作される時、前記データストリームの少なくとも一部は前記マトリックス表示装置から前記操作デバイスにカップリングされることを特徴とするデータ伝送システム。
【請求項２】
前記表示パネルは、基板及び画素マトリックスを有するマトリックス基板を備え、前記画素マトリックスは前記基板の一側に設置され、前記表示面は前記基板の他側に位置することを特徴とする請求項１に記載のデータ伝送システム。
【請求項３】
前記電極は、単独電極、または前記画素マトリックスにおける複数の行電極もしくは複数の列電極のうちの少なくとも一つであることを特徴とする請求項２に記載のデータ伝送システム。
【請求項４】
前記操作デバイスが前記表示面において操作される時、前記データストリームの一部は、前記単独電極、前記行電極、または前記列電極から前記操作デバイスに伝送されることを特徴とする請求項３に記載のデータ伝送システム。
【請求項５】
前記データストリームの一部は電磁効果によって、前記マトリックス表示装置から前記操作デバイスにカップリングされることを特徴とする請求項１に記載のデータ伝送システム。
【請求項６】
前記制御ユニットは前記データストリームを分流し、前記データストリームは複数のデータサブストリームを含み、前記操作デバイスは前記複数のデータサブストリームを受信し、前記複数のデータサブストリームを組み合わせることを特徴とする請求項３に記載のデータ伝送システム。
【請求項７】
各前記データサブストリームは第一ビットと第二ビットを有し、前記複数の行電極は第一行電極と少なくとも一つの第二行電極を有し、前記複数の列電極は第一列電極と少なくとも一つの第二列電極を有し、前記制御ユニットは、第一の時間において、前記第一ビットを前記単独電極、前記第一行電極、または前記第一列電極に伝送すると共に、第二の時間において、前記第二ビットを前記単独電極、前記第二行電極、または前記第二列電極に伝送することを特徴とする請求項６に記載のデータ伝送システム。
【請求項８】
前記データサブストリームは少なくとも一つのビットを有し、前記制御ユニットは一つの時間において、前記ビットを前記単独電極、前記複数の行電極、または前記複数の列電極に伝送することを特徴とする請求項６に記載のデータ伝送システム。
【請求項９】
各前記データサブストリームは第一ビットと第二ビットを有し、前記複数の行電極、または前記複数の列電極はそれぞれ第一グループと少なくとも一つの第二グループを有し、前記制御ユニットは、第一の時間において、前記第一ビットを前記第一グループに伝送すると共に、第二の時間において、前記第二ビットを前記第二グループに伝送することを特徴とする請求項６に記載のデータ伝送システム。
【請求項１０】
前記データストリームの一部は前記データストリームの開始情報を含むことを特徴とする請求項４に記載のデータ伝送システム。
【請求項１１】
前記データストリームの一部は前記データストリームの終了情報を含むことを特徴とする請求項４に記載のデータ伝送システム。
【請求項１２】
前記データストリームの一部と前記マトリックス表示装置の表示データは異なる時間で電極において伝送されることを特徴とする請求項１に記載のデータ伝送システム。
【請求項１３】
前記データストリームの一部が前記操作デバイスに伝送終了した後、前記マトリックス表示装置は、少なくとも一つの完全なフレーム画面または一部のフレーム画面を表示することを特徴とする請求項１に記載のデータ伝送システム。
【請求項１４】
前記データストリームの伝送を開始する前、前記マトリックス表示装置が表示する画面における少なくとも一つのフレームには、前記データストリームを前記操作デバイスに伝送しようとするメッセージが含まれることを特徴とする請求項１に記載のデータ伝送システム。
【請求項１５】
前記データストリームの伝送が終了した後、前記マトリックス表示装置が表示する画面における少なくとも一つのフレームには、前記データストリームの伝送結果のメッセージが含まれることを特徴とする請求項１に記載のデータ伝送システム。
【請求項１６】
前記データストリームの伝送が終了する前、前記マトリックス表示装置が表示する画面における少なくとも一つのフレームには、データの伝送に使われた電極のエリアが標示されることを特徴とする請求項１に記載のデータ伝送システム。
【請求項１７】
前記複数のデータサブストリームのうちの少なくとも一つは前記マトリックス表示装置を識別するための情報を含むことを特徴とする請求項６に記載のデータ伝送システム。
【請求項１８】
前記複数のデータサブストリームの信号は、直流成分を含まない交流信号であることを特徴とする請求項１に記載のデータ伝送システム。
【発明の詳細な説明】
【技術分野】
【０００１】
本発明は、データ伝送システムに関するものであり、特に、近距離無線通信のデータ伝送システムに関するものである。
【背景技術】
【０００２】
近年、タッチパネルはすでにモバイル通信機器、デジタルカメラ、デジタル音楽プレーヤー（ＭＰ３）、個人用携帯情報端末（ＰＤＡ）、衛星測位器（ＧＰＳ）、携帯情報端末（ｈａｎｄ-ｈｅｌｄ ＰＣ）、さらにはウルトラモバイルＰＣ（Ｕｌｔｒａ Ｍｏｂｉｌｅ ＰＣ, ＵＭＰＣ）等の一般の大衆消費電子機器に幅広く応用されている。上述電子製品のタッチパネルは、いずれも表示スクリーンに結合されてタッチコントロール式の表示装置となる。
【０００３】
一方で、消費性電子製品の応用性を拡大するために、業界ではこれらの電子装置の製品に近距離通信（または、近距離無線通信）機能を追加し始めている。このうち、近距離通信（または、近距離無線通信）機能は、実際の回路接続をせずに、例えば、コマンド、音楽、写真、名刺、データ、またはファイルなどの情報を電子装置から他の電子装置に伝送する伝送ルートを提供することができる。これらの機能は、電子装置に伝送の利便性を備えさせる以外に、その応用性をも向上させることができる。これらの電子装置は、例えば、アクセス制御、チケット、入場券、クレジットカード決済、または広告メッセージを受信するなどの大量にＩＣカードを使用する場合に取って代われる。このうち、広告メッセージを受信する場合として、空港の広告スクリーンから現地の旅館情報を受信する場合、または、売り場のスクリーンからクーポンを受信する場合などが挙げられる。
【０００４】
したがって、本発明は、データ伝送システムを提供し、このデータ伝送システムは、表示装置を介してデータまたはファイルを他の電子装置に伝送することで、近距離通信機能に合わせて応用し、表示装置の応用性を拡大させることができる。
【発明の概要】
【発明が解決しようとする課題】
【０００５】
上記の課題に鑑て、本発明の目的は、表示装置に取り付けたデータ伝送システムを提供することである。このデータ伝送システムは、表示装置を介してデータまたはファイルを他の電子装置に伝送することで、近距離無線通信などの各種の無線通信環境において使用し、表示装置の応用性を拡大させることができる。
【課題を解決するための手段】
【０００６】
本発明は、以下の技術を採用することで上記課題を解決する。
【０００７】
上述の目的を達するために、データ伝送システムは操作デバイス及びマトリックス表示装置を備える。マトリックス表示装置は表示パネルと制御ユニットを備える。制御ユニットはデータストリームを受信し、データストリームの少なくとも一部を表示パネルの電極に伝送する。操作デバイスがマトリックス表示装置の表示面において操作される時、データストリームの少なくとも一部はマトリックス表示装置から操作デバイスにカップリングされる。
【０００８】
一実施例において、表示パネルは、基板及び画素マトリックスを有するマトリックス基板を備える。画素マトリックスは基板の一側に設置され、表示面は基板の他側に位置する。
【０００９】
一実施例において、電極は単独電極、または画素マトリックスにおける複数の行電極もしくは複数の列電極のうちの少なくとも一つである。
【００１０】
一実施例において、操作デバイスが表示面において操作される時、データストリームの一部は、単独電極、行電極、または列電極から操作デバイスに伝送される。
【００１１】
一実施例において、データストリームの一部は電磁効果によって、マトリックス表示装置から操作デバイスに伝送される。
【００１２】
一実施例において、制御ユニットはデータストリームを分流し、データストリームは複数のデータサブストリームを含み、操作デバイスは前記複数のデータサブストリームを受信し、これらのデータサブストリームを組み合わせる。
【００１３】
一実施例において、各データサブストリームは第一ビットと第二ビットを有し、複数の行電極は第一行電極と少なくとも一つの第二行電極を有し、複数の列電極は第一列電極と少なくとも一つの第二列電極を有し、制御ユニットは、第一の時間において、第一ビットを単独電極、第一行電極、または第一列電極に伝送すると共に、第二の時間において、第二ビットを単独電極、第二行電極、または第二列電極に伝送する。
【００１４】
一実施例において、各データサブストリームは少なくとも一つのビットを有し、制御ユニットは一つの時間において、ビットを単独電極、複数の行電極、または複数の列電極に伝送する。
【００１５】
一実施例において、各データサブストリームは第一ビットと第二ビットを有し、複数の行電極または複数の列電極は、それぞれ第一グループと少なくとも一つの第二グループを有し、制御ユニットは、第一の時間において、第一ビットを第一グループに伝送すると共に、第二の時間において、第二ビットを第二グループに伝送する。
【００１６】
一実施例において、データストリームの一部は伝送の開始情報を含む。
【００１７】
一実施例において、データストリームの一部は伝送の終了情報を含む。
【００１８】
一実施例において、データストリームの一部の伝送は、マトリックス表示装置の表示データの伝送と分かれて行い、即ち、表示データの伝送が終了した後、または表示データの伝送が開始する前に行う。
【００１９】
一実施例において、データストリームの一部の伝送が終了した後、マトリックス表示装置は少なくとも一つの完全なフレーム画面、または一部のフレーム画面を表示する。
【００２０】
一実施例において、データストリームの一部の伝送が開始する前、マトリックス表示装置が表示する画面における少なくとも一つのフレームには、データストリームを伝送しようとするメッセージが含まれる。
【００２１】
一実施例において、データストリームの伝送が終了した後、マトリックス表示装置が表示する画面における少なくとも一つのフレームには、データストリームの伝送結果のメッセージが含まれる。
【００２２】
一実施例において、データストリームの伝送が終了する前、マトリックス表示装置が表示する画面における少なくとも一つのフレームには、データの伝送に使われた電極のエリアが標示される。
【００２３】
一実施例において、伝送された複数のデータサブストリームのうちの少なくとも一つはマトリックス表示装置を識別するための情報を含む。
【００２４】
一実施例において、複数のデータサブストリームによって発生され、電極に印加される信号は、直流成分を含まない交流信号である。
【発明の効果】
【００２５】
上記により、本発明に係るデータ伝送システムは操作デバイス及びマトリックス表示装置を備え、マトリックス表示装置はデータストリームを受信するための制御ユニットを有する。制御ユニットはデータストリームの少なくとも一部を表示パネルの少なくとも一つの電極に伝送し、且つ操作デバイスがマトリックス表示装置の表示面において操作された時、データストリームの少なくとも一部はマトリックス表示装置から操作デバイスにカップリングすることができる。もって、マトリックス表示装置にデータまたはファイルなどのデータストリームを無線通信の方式によって、操作デバイスに伝送させることができる。本発明に係るデータ伝送システムは近距離無線通信機能に合わせて応用し、表示装置を介してデータまたはファイルを他の電子装置に伝送することで、表示装置の応用性を拡大させることができる。
【図面の簡単な説明】
【００２６】
【図１】本発明の好ましい実施例に係るデータ伝送システムを示したブロック図である。
【図２Ａ】本発明の一実施例に係るマトリックス表示装置の側面図である。
【図２Ｂ】本発明のもう一つの実施例に係るマトリックス表示装置の側面図である。
【図３】本発明に使用される薄膜トランジスタ基板を示した図である。
【図４】図３に示した薄膜トランジスタ基板のうちの二つの行電極と二つの列電極の信号を示した図である。
【図５】本発明のマトリックス表示装置の外観を示した図である。
【図６Ａ】データサブストリームと列電極の伝送関係を示した図である。
【図６Ｂ】データサブストリームと列電極の伝送関係を示した図である。
【図６Ｃ】データサブストリームと列電極の伝送関係を示した図である。
【図６Ｄ】データサブストリームと列電極の伝送関係を示した図である。
【発明を実施するための形態】
【００２７】
以下、図面を参照しながら本発明のデータ伝送システムにおける好適な実施例について説明する。このうち同じ構成要素は同じ符号を付して説明する。
【実施例】
【００２８】
図１を参照されたい。  図１は本発明の好ましい実施例に係るデータ伝送システム１を示したブロック図である。
【００２９】
本発明のデータ伝送システム１は、操作デバイス１１及びマトリックス表示装置１２を備え、操作デバイス１１とマトリックス表示装置１２は、例えば、コンデンサカップリングまたは誘導カップリングによって互いにカップリングすることで、データまたはファイルを伝送するので、非接触によるデータやファイルの伝送であり、無線方式によるデータやファイルの伝送とも言われる。本実施例において、操作デバイス１１は、例えば、受信装置（例えば、カードリーダ、アクセスシステムなど）、またはＩＣカード、または他の電子装置である。操作デバイス１１内には処理制御システム、保存システム、または伝送システムなどの機能性サブシステムが設けられる。ここで言うところの「システム」は、ハードウェア、ソフトウェア、またはファームウェア、またはその組合せから構成されるものである。
【００３０】
次に、図２Ａを参照されたい。図２Ａは本発明の一実施例に係るマトリックス表示装置１２における表示面１２１側の側面図である。マトリックス表示装置１２は、マトリックス基板１２２と表示面１２１を備える。マトリックス基板１２２は基板１２３と電極Ｅを含み、電極Ｅは基板１２３の一側に設置され、表示面１２１は基板１２３の他側に位置する。マトリックス基板１２２は、従来の液晶表示装置のカラーフィルタ基板であることができる。電極Ｅはカラーフィルタ基板の共通電極（common electrode）及び少なくとも一つのデータ伝送用の単独電極を含む。
【００３１】
また、図２Ｂは本発明のもう一つの実施例である。マトリックス基板１２２は基板１２３及びマトリックス１２４を備え、且つマトリックス１２４は複数の電極を含む（図示されない）。従来の液晶表示装置のマトリックス基板と比べて、本実施例のマトリックス表示装置１２は反転配置であり、つまり、図２Ｂに示したカラーフィルタ基板ＣＦに相対して、マトリックス基板１２２の基板１２３は比較的にユーザから近い表示面１２１を有している。マトリックス表示装置１２を反転配置にすることで、信号のカップリングを有利にすることができる。次は、マトリックス基板１２２を主に説明する。
【００３２】
本実施例において、表示面１２１とは、ユーザがマトリックス表示装置１２の表示画像を見ている時、マトリックス表示装置１２の最もユーザに近い表面を指す。ここでは、マトリックス表示装置１２は保護ガラス１２５を更に備える。保護ガラス１２５は、基板１２３におけるマトリックス１２４と対向する一側に設置され、表示面１２１は保護ガラス１２５におけるユーザから近い側の表面である。また、基板１２３において、保護ガラス１２５に近い一側には光学膜またはスチールフレーム等の他の構成素子を備えることができる。また、仮に、表示装置が液晶表示装置である場合、表示装置は更にカラーフィルタ基板ＣＦを備えることができる。カラーフィルタ基板ＣＦはマトリックス基板１２２のマトリックス１２４を有する一側に隣接設置し、且つマトリックス基板１２２に対向して設置される。また、仮に表示装置が電子ペーパーである場合、表示装置は、マトリックス基板１２２のマトリックス１２４を有する一側に隣接設置される電気泳動性材料（図示されない）を更に備えることができる。
【００３３】
本実施例において、マトリックス基板１２２は画素マトリックスを有するマトリックス基板を指している。画素マトリックスは、例えば、液晶表示パネル、有機発光ダイオードパネル、発光ダイオードパネル、電気泳動表示パネルまたはＭＥＭＳ表示パネル等のものである。マトリックス１２４は複数の行電極、複数の列電極、及び複数の画素電極を備え、前記複数の行電極と前記複数の列電極は交差して設置される。また、マトリックス１２４は、アクティブマトリックス（active matrix）またはパッシブマトリックス（passive matrix）である。ここで、マトリックス１２４は、アクティブマトリックスを例とする。マトリックス１２４は、更に複数のトランジスタを備え、前記複数のトランジスタは、それぞれ前記複数の行電極、前記複数の列電極、及び前記複数の画素電極に電気的に接続される。
【００３４】
図１を再度参照されたい。マトリックス表示装置１２は制御ユニット１２６と表示パネル１２７を更に備え、制御ユニット１２６はデータストリーム（data stream）を受信、且つ処理し、データストリームの少なくとも一部を表示パネル１２７の電極に伝送する。表示パネル１２７は、上記のマトリックス基板１２２を備える。また、データストリームはデジタルデータストリーミング、またはデジタルファイルストリーミングであり、且つタッチコントロール情報、指令情報、識別情報、取引情報、広告情報、クーポン情報、ファイル情報、またはその他の情報である。表示パネル１２７の電極は、画素マトリックスから独立する単独電極（一本の、または複数本の電極で構成される）、または画素マトリックスにおける複数の行電極もしくは複数の列電極のうちの少なくとも一つである。また、制御ユニット１２６はデータストリームを少なくとも一つのデータサブストリームに分流して処理すると共に、データサブストリームをマトリックス表示装置１２の表示パネル１２７の電極にそれぞれ伝送し、操作デバイス１１がこれらのデータサブストリームを受信する。データストリームの処理方法は、直列−並列変換（series-to-parallel conversion）、コード化、暗号化、ヘッダファイル（データの大きさ、検査コード、シリアルナンバー、追跡データを含む）を書き込む、或いは、始動タグ及び／または終了タグを伝送するなどの方法を含む。通常の通信伝送方法と異なる点は、本実施例では異なる電極を同時に伝送の送信源（多通信ルート）として使用して、伝送を行うことができることである。これらの通信ルートは、空間的分離、または変調技術などの方式を利用して、互いへの妨害を減少させることができる。注意すべきことは、データストリームの直列−並列変換方式は、順に行うか（例えば、データストリームの第一ビットから第Ｎビットを第一データサブストリームとして分流し、第Ｎ＋１ビットから第Ｍビットを第二データサブストリームとして分流するなど）、または交差して行うか（例えば、第一ビットを第一データサブストリームに分け、第二ビットを第二データサブストリームに分け、…、第Ｎビットを最後のデータサブストリームに分け、第Ｎ＋１ビットを第一データサブストリームに分け、…以下、これと同様とする。）、または上記両者の組み合わせによって行うものである。
【００３５】
図１と図２Ｂを再度参照されたい。ユーザが操作デバイス１１を利用して、マトリックス表示装置１２の表示面１２１で操作を行った時、データストリームの一部はマトリックス表示装置１２のマトリックス基板１２２から電磁効果によって操作デバイス１１にカップリング（例えば、コンデンサカップリングまたは誘導カップリング）される。ここにおいて、カップリングの方法は、無線通信の方式によって、デジタル情報（即ち０、または１）をマトリックス表示装置１２から操作デバイス１１に伝送するものを採用している。操作デバイス１１が表示面１２１から伝送されたデータストリームを受信する時、操作デバイス１１は受信したデータストリームに対し逆方向処理を行うことで、伝送された情報を取得する。この場合、操作デバイス１１は、マトリックス表示装置１２の表示面１２１に接近、または接触することで、信号を電磁効果によって操作デバイスにカップリングする方法により、データを受信する。
【００３６】
仮に、画素マトリックスにおける行電極、または列電極を利用してデータストリームの一部を伝送する時には、マトリックス表示装置１２の表示データとは異なる時間で伝送することができる。例えば、表示データの伝送が終了した後、または表示データの伝送が開始する前に、データストリームの一部を操作デバイス１１に伝送する。注意すべきことは、ここにおいて、表示データとデータストリームの一部は、単に異なる目的を有する二つのデータが電極において伝送されることを示すものにすぎず、表示データが操作デバイスにカップリングされることや、データストリームの一部が表示されることを制限しないという点である。つまり、マトリックス表示装置１２は、一つのフレーム（frame）画面の表示が終了した後及び次のフレーム画面の表示が開始する前に、または一つのフレーム画面の表示期間に、データサブストリームを操作デバイス１１に伝送することができる。注意すべきことは、画素マトリックスの外部にある単独電極を利用してデータストリームの伝送を行う場合、フレーム画面の伝送時間に合わせなくても良いという点である。
【００３７】
また、データストリームを操作デバイス１１に伝送する過程が完成した後、マトリックス表示装置１２は、少なくとも一つの完全なフレーム画面、または一部のフレーム画面を表示することができる。つまり、データストリームの伝送が終了する時間は、一つのフレーム画面の表示が終了した後及び次のフレーム画面の表示が開始する前に、または一つのフレーム画面の表示期間内にあることができ、ここでは特に制限しない。また、データストリームのカップリングを開始する前に、マトリックス表示装置１２は、少なくとも一つのフレーム画面を用いて、データストリームが操作デバイス１１に伝送されようとするメッセージを表示することができる。また、データストリームの伝送が終了した後、マトリックス表示装置１２は、少なくとも一つのフレーム画面を用いて、データストリームの伝送が終了したメッセージを表示することもできる。つまり、第一のデータストリームの伝送が開始する前も、最後のデータストリームの伝送が終了した後も、マトリックス表示装置１２は提示画面を表示し、ユーザに注意を促すことができる。また、データストリームの伝送期間において、マトリックス表示装置１２は、伝送に用いられた電極のエリア範囲を表示画面に標示することで、操作デバイス１１の信号カップリングをしやすくすることができる。
【００３８】
以下、液晶表示装置の薄膜トランジスタ基板（TFT substrate）をマトリックス基板１２２の例として、データサブストリームがどのようにしてマトリックス表示装置１２の行電極または列電極から操作デバイス１１にカップリングされるのかを説明する。
【００３９】
図２Ｂと図３を同時に参照されたい。図３は本実施例に使用される薄膜トランジスタ基板を示した図である。
【００４０】
マトリックス１２４は、複数の行電極Ｓ１〜ＳＭ、複数の列電極Ｄ１〜ＤＮ、及び複数の画素電極Ｅ１１〜ＥＭＮを備える。複数の行電極Ｓ１〜ＳＭと複数の列電極Ｄ１〜ＤＮは交差して設置され、実質上は、相互に垂直または角度を挟んで設置される。また、マトリックス１２４は、更に複数のトランジスタＴ１１〜ＴＭＮを備え、これらのトランジスタＴ１１〜ＴＭＮはそれぞれ複数の行電極Ｓ１〜ＳＭ、複数の列電極Ｄ１〜ＤＮ、及び複数の画素電極Ｅ１１〜ＥＭＮに電気的に接続される。ここでは、行電極Ｓ１〜ＳＭは走査線を例とし、列電極Ｄ１〜ＤＮはデータ線を例とするが、当然、データ線を行電極Ｓ１〜ＳＭとし、走査線を列電極Ｄ１〜ＤＮとすることもできる。また、基板１２３にはさらに駆動モジュールが設置され、この駆動モジュールは、データ駆動回路、スキャン駆動回路、タイミング制御回路（図示されない）及びガンマ補正回路（図示されない）を含み、駆動モジュールを駆動することによって、液晶表示パネルに画像を表示させることができる。駆動モジュールで画像を駆動する技術は周知の技術であるため、ここでは説明しない。また、この態様のマトリックス基板は一例として挙げたものに過ぎず、本発明の範囲を制限するものではない。本実施例の特徴は、行電極Ｓ１〜ＳＭ及び／または列電極Ｄ１〜ＤＮのうちの少なくとも一つを利用してマトリックス基板１２２からデータサブストリームを操作デバイス１１に伝送することにある。
【００４１】
本実施例において、列電極Ｄ１〜ＤＮは、通常のフレーム画面の表示データ信号を伝送する外、ここにおいて、データサブストリームを更に伝送することができる。例えば、表示信号に直接に周波数が表示信号より高いデータサブストリームを重ね合わせるか、または、データ表示信号を伝送する際に発生した帰線期間において伝送することができる。帰線期間は、例えば、全ての行電極Ｓ１〜ＳＭがスキャンを終了した後、且つ、次のスキャンが開始する前の期間（フレーム画面とフレーム画面の間の帰線期間）であり、または、一本の行電極がスキャンを完了し、且つ、次の行電極がスキャンを開始する前の期間であり、または、全ての行電極のスキャン期間内に、表示データを短縮すると同時に、データ表示信号を伝送する前に発生した期間等である。ここでは、データサブストリームは、タイミングコントロール（Ｔ-ｃｏｎ）回路の機能を拡大して、さらに、データ駆動回路またはスキャン駆動回路を拡大して供給されるようにすることにより、回路設計を簡潔にすることができる。
【００４２】
図４を参照されたい。図４は、図３に示した隣接する二つの行電極と隣接する二つの列電極の信号を示した図である。ここでは、各列のトランジスタがオンにされ、表示データを表示すると同時にデータストリームを伝送する状態を例とする。注意すべきことは、トランジスタがオンにされたかどうかは必ずしも必要なものでなく、トランジスタがオフ状態でも、データストリームを伝送することができることである。この時、各データサブストリームは、それぞれ列電極、または行電極に伝送することができる。行電極Ｓ１〜ＳＭはそれぞれ走査信号ＳＳを伝送して、順に各列のトランジスタをオンにし、各列のトランジスタをオンにした時間において、各列電極Ｄ１〜ＤＮは、それぞれデータサブストリームＥＳと表示データ信号ＤＳを伝送する。本実施例において、図４に示すように、行電極ＳＭ−１がその走査信号ＳＳＭ−１を伝送する時、全部の列電極Ｄ１〜ＤＮは、データサブストリームＥＳＭ−１を伝送する。行電極ＳＭがその走査信号ＳＳＭを伝送する時、全部の列電極Ｄ１〜ＤＮは、データサブストリームＥＳＭを伝送する。図４において、このデータサブストリームＥＳＭ−１、データサブストリームＥＳＭは、表示データ信号ＤＳと異なる電圧レベルで表示されたが、実施時には同一の電圧レベルで行うことができる。従って、列電極Ｄ１〜ＤＮは、行電極Ｓ１〜ＳＭが走査信号ＳＳ１〜ＳＳＭを伝送するにつれ、それぞれ第一のデータストリームＥＳ１〜第ＭのデータストリームＥＳＭを伝送し、データストリームＥＳの少なくとも一部を操作デバイス１１にカップリングすることができる。
【００４３】
説明を補充すべきことは、図４に示したデータサブストリームＥＳＭとＥＳＭ−１は高レベルの１で表示されているが、当然、低レベルの０で表示することもできる。また、信号の極性による問題を回避するために、前記複数のデータサブストリームの信号は直流成分を含まない交流信号を採用することができる。また、データサブストリームＥＳＭとＥＳＭ−１はそれぞれ一ビットのデータ、または複数ビットのデータを含められ、ここでは特に限定しない。図４のように、すべての列電極が同一のフレーム時間において、同一のデータサブストリームを伝送する態様以外に、各列電極Ｄ１〜ＤＮは、それぞれ異なるデータサブストリームＥＳ１〜ＥＳＭを伝送することができ、数本の列電極を一組として同一のサブストリームを伝送することもできる。例えば、列電極Ｄ１〜Ｄ３は、第一データサブストリームＥＳ１を伝送し、列電極Ｄ４〜Ｄ６は、第二データサブストリームＥＳ２を伝送する。同じ原理は、行電極に伝送されるデータサブストリームにも適用できる。また、データストリームの伝送の正確性を確保するために、異なる時間にデータサブストリームを繰り返して伝送することもできる。つまり、異常を発見した時に、再度、同一のデータサブストリームを伝送することで、操作デバイス１１のデータを受信する正確性を確保することができる。当然、列電極Ｄ１〜ＤＮと行電極Ｓ１〜ＳＭはより複雑なデータサブストリームを伝送することもでき、以下に詳細に説明する。
【００４４】
また、上記の変調方式は振幅変調（Amplitude Modulation）技術であり、即ち、振幅の強弱をデジタル信号の１または０として表示する技術である。しかしながら、周波数変調（Frequency Modulation）の技術を使用し、周波数の変化をデジタル信号の１または０として表示することもできる。例えば、単位時間内に、振幅の上下変化が５つであれば、それを１と定義し、その他を０と定義する。または、位相偏移変調（Phase Shift Modulation）の技術を使用し、例えば、一高レベルに一低レベルを加えた位相変化を０と定義し、一低レベルに一高レベルを加えた位相変化を１と定義する。ここでは、変調方式を限定しない。また、隣接する電極による妨害を避けるため、異なる電極の間には、時分割、周波数分割、または符号分割などの技術を採用することができる。
【００４５】
ユーザが操作デバイス１１を持って、マトリックス表示装置１２の表示面１２１で操作デバイス１１を操作すると（例えば、表示面に接触したり、または表示面１２１に近づいたりする）、データサブストリームはマトリックス基板１２２の表示面１２１からコンデンサカップリングによって操作デバイス１１にカップリングされる。本実施例では、列電極Ｄ１〜ＤＮによってデータサブストリームＥＳを伝送する場合を例としているため、各列電極Ｄ１〜ＤＮはコンデンサカップリングのうちの一方の電極となり、操作デバイス１１にはコンデンサカップリングのもう一方の電極が設けられることになる。操作デバイス１１がコンデンサカップリングによって、すべてのデータサブストリームＥＳを受信した後、操作デバイス１１は、受信したデータサブストリームＥＳを組み合わせることで、完全なデータストリームを得ることができる。このデータストリームは、例えば、テキストファイル、イメージファイルまたはオーディオビジュアルファイルなどのものである。例えば、操作デバイス１１がアクセス制御ユニットである場合、マトリックス表示装置１２の表示面１２１が操作デバイス１１に近づいたりする時、操作デバイス１１にマトリックス表示装置１２から伝送されたドアオープンまたはドアロックの情報を受信させることで、アクセス制御、またはロックを解除することができる。マトリックス表示装置１２がパブリックディスプレイ（public display）であり、操作デバイス１１が携帯電話、またはその他の個人用デバイスである場合、操作デバイス１１をマトリックス表示装置１２の表示面１２１に近づけたりすることにより、例えば、広告情報、特恵情報、地理情報などを個人用デバイスに送信させて持ち帰ることができる。
【００４６】
また、図５を参照されたい。図５は本発明に係るデータ伝送システム１のマトリックス表示装置１２の外観を示した図である。
【００４７】
マトリックス表示装置１２はモード触発素子１２８を更に備え、ユーザまたは操作デバイス１１がこのモード触発素子１２８を触発することで、マトリックス表示装置１２を起動してタスクモードにし、データストリームを送信する。マトリックス表示装置１２は一人用のタッチコントロール表示装置を例とすると、ユーザがデータストリームを送信する必要がある時、モード触発素子１２８を触発することで、マトリックス表示装置１２は起動されて、タスクモードに入りデータストリームを送信し始める。この時、行電極または列電極は、マトリックス表示装置１２のタッチコントロール機能及び表示機能の全部または一部をシャットダウンすることにより、タッチパネルに触れて誤動作を起こすことを防止すると同時に、電力を節約する効果を達成することができる。ここで注目すべきは、このモード触発素子１２８のタスクモードは、複数の態様があるということである。例えば、一度触発した後ある一定の時間を経過すると前のタスクモードに戻るか、毎回触発する度にタスクモードが変更されるか、または触発が継続している時のみタスクモードが維持される等の方式がある。モード触発素子１２８の配置は表示エリア外に限定されず、表示パネル、またはタッチパネルと統合することができる。このモード触発素子１２８は、例えば、機械スイッチ、タッチコントロールスイッチ、またはアイコン（icon）である。
【００４８】
次に、図６Ａから図６Ｄを参照しつつ、制御ユニット１２６（図６Ａから図６Ｄに表示されない）がデータサブストリームをマトリックス表示装置１２の列電極に伝送する複数の態様をそれぞれ説明する。当然、データサブストリームをマトリックス表示装置１２の行電極、または単独電極、またはそれらの組合せに伝送する方式も同一であるので、ここで繰り返して述べない。図６Ａから図６Ｄはデータサブストリームと列電極Ｄ１〜ＤＮの伝送関係を示した図である。
【００４９】
制御ユニット１２６は一つのデータストリームを複数のデータサブストリームに分流し、且つマトリックス表示装置１２が全部のデータサブストリームを操作デバイス１１にカップリングした時、操作デバイス１１はこれらのデータサブストリームを受信し、これらのデータサブストリームを最初に伝送したデータストリームに組み合わせることができる。当然、操作デバイス１１はデータストリームの一部を受信することもでき、前記データストリームの一部は、一つのデータサブストリーム、または一つのデータサブストリームの一部、または複数のデータサブストリームであることができる。各データサブストリームはそれぞれ一ビット、または複数ビットのデータを有する。また、制御ユニット１２６は、データストリームを少なくとも一つのデータサブストリームの情報に分流処理する以外に、伝送する開始情報または終了情報を含ませることで、操作デバイス１１に伝送の開始と終了を確認させることもできる。操作デバイス１１は、前記複数のデータサブストリームと開始及び終了の伝送情報を受信した後、その結果をデータストリームに処理する。また、データサブストリームはマトリックス表示装置１２の識別情報を含み、例えば、メーカー、型番、シリアル番号などの情報を、操作デバイス１１に受信後に識別させるためである。
【００５０】
図６Ａに示すように、本実施例において、制御ユニット１２６はデータストリームを複数のデータサブストリームに分流し、且つ各一データサブストリームは少なくとも一ビットのデータを有する。ここにおいて、各データサブストリームは一ビットのみのデータを有することを例とする。当然、その他の実施例において、各データサブストリームは複数ビットのデータを有することもできる。また、一つの時間（例えば、一つの行電極の走査時間、または一つのフレーム時間内、または一つのフレーム時間と他のフレーム時間の間の時間）において、制御ユニット１２６はデータサブストリーム（例えば、第一データサブストリームＥＳ１）のビットデータをそれぞれ全ての列電極Ｄ１〜ＤＮに伝送することもできる。
【００５１】
また、図６Ｂに示すように、もう一つの時間において、制御ユニット１２６はもう一つのデータサブストリーム（例えば、第二データサブストリームＥＳ２）のビットデータをそれぞれ全ての列電極Ｄ１〜ＤＮに伝送し、同様の動作を他の時間において繰り返させることができる。つまり、制御ユニット１２６は、一つの時間内において、一つのデータサブストリームを全ての列電極Ｄ１〜ＤＮに伝送し、且つもう一つの時間内において、もう一つのデータサブストリームを全ての列電極Ｄ１〜ＤＮに伝送することができる。全てのデータサブストリームをそれぞれマトリックス表示装置１２の列電極Ｄ１〜ＤＮによって伝送し、且つ全部を操作デバイス１１に伝送した後、操作デバイス１１はそれらを完全なデータに組み合わせる。制御ユニット１２６はデータサブストリームのビットデータをそれぞれマトリックス表示装置１２の全ての列電極Ｄ１〜ＤＮに伝送するので、操作デバイス１１をマトリックス表示装置１２の表示面１２１のどの位置で操作しても、操作デバイス１１はデータサブストリームのビットデータを受信することができるため、データの受信がもれることは発生しにくくなる。
【００５２】
上記の態様は、電極と操作デバイス１１との間に単一の伝送チャネル（single transmission channel）を構築したものであり、すなわち、単一の送信源を有し、同一の時間において、一つのデータのみが伝送されるようにしたものである。また、多チャネル伝送のモードを採用することもできる。図６Ｃに示すように、本実施例において、制御ユニット１２６はデータストリームを複数のデータサブストリームＥＳ１〜ＥＳＫに分流し、前記複数のデータサブストリームＥＳ１〜ＥＳＫはそれぞれ複数のビットデータを有し、各データサブストリーム（例えば、第一データサブストリームＥＳ１）はＮ個のビットを有し、これらＮ個のビットはそれぞれ列電極Ｄ１〜ＤＮに対応して伝送される。制御ユニット１２６は、第一データサブストリームＥＳ１の第一ビットを列電極Ｄ１に送信し、第二ビットを列電極Ｄ２に送信し、最後に第一データサブストリームＥＳ１の第Ｎビットを列電極ＤＮに送信し、更にこれらの列電極Ｄ１〜ＤＮによって、これらのビットデータを一定の期間内に操作デバイス１１に送信し、以後上記のデータ送信ステップを繰り返す。注意すべきことは、データを直接に電極に送信する以外に、データをバッファ（buffer）に送信し、同一時間に電極に送信することもできる。多チャネル伝送のモードにおいて、上記の各データサブストリームを順に（例えば、第一データサブストリームＥＳ１の伝送が終了した後に、第二データサブストリームＥＳ２を伝送し、以下同様とする。）各電極に送信する以外に、各データサブストリームと電極との間には異なる組み合わせを設けることもできる。例えば、第一データサブストリームＥＳ１を列電極Ｄ１のみから送信し、第二データサブストリームＥＳ２を列電極Ｄ２のみから送信するなどである。ここにおいて、列電極Ｄ１〜ＤＮがそれぞれ全ての列電極のうちの一つを代表する場合を例として説明したが、各列電極Ｄ１〜ＤＮが、それぞれ複数の列電極を代表し、または各々複数の電極から構成された電極グループを代表する場合も可能である（例えば、列電極Ｄ１は１本目、３本目、及び７本目の電極の組合せを代表するなど。これについては、後に詳述する）。そして、これらの電極はいずれも操作デバイス１１の受信範囲内に配置されている。
【００５３】
また、上記のように、データサブストリームはその特定のビット数に基づいて複数のデータサブストリームに分流され、且つ前記複数の列電極を複数のグループに分け、データサブストリーム内のビットデータをそれぞれ前記複数の列電極のグループに伝送するようにすることができる。例えば、データストリームを列電極の数より少ないデータサブストリームに分流し、且つある数の列電極を同一グループに分け、データサブストリーム内のビットデータを、それぞれ前記複数の列電極のグループに伝送することによって、操作デバイス１１に伝送することができる。
【００５４】
図６Ｄに示すように、本実施例において、各データサブストリームＥＳ１〜ＥＳＫはそれぞれ二つのビット（即ち、第一ビットと第二ビットである）のデータを有し、前記複数の列電極Ｄ１〜ＤＮでは、４本の列電極ごとに一つのグループを構成することができ（例えば、列電極Ｄ１〜Ｄ４を第一グループＧ１とし、列電極Ｄ５〜Ｄ６を第二グループＧ２とする。当然、異なる数量の列電極を一つのグループに構成することもできる）、且つ、制御ユニット１２６は、第一の時間において第一データサブストリームＥＳ１の第一ビットを、及び第二の時間において第二ビットを、それぞれ第一グループＧ１の列電極Ｄ１〜Ｄ４及び第二グループＧ２の列電極Ｄ５〜Ｄ８に対応して伝送し、且つ第二データサブストリームＥＳ２（図示されない）の第一ビット及び第二ビットを異なる時間において、それぞれ第三グループＧ３及び第四グループＧ４（図示されない）に対応して伝送し、以下同様とすることができる。
【００５５】
また、データサブストリームを操作デバイス１１に伝送する正確性を高めるために、異なる時間において、データサブストリームＥＳ１〜ＥＳＫのビットデータを、それぞれが対応する第一グループＧ１〜第Ｎ/４グループＧＮ/４に繰り返して伝送することによって、異なる時間の伝送結果を比較し、データ伝送の正確性を確保することができる。そして、操作デバイス１１は伝送の規則に基づいて、受信したデータサブストリームＥＳ１〜ＥＳＫを組合せることで、データを復元することができる。また、上記の時間は一つの走査時間内、または一つのフレーム時間（frame time）内、または隣接する二つのフレーム時間の間である。
【００５６】
上記をまとめると、本発明に係るデータ伝送システムは操作デバイス及びマトリックス表示装置を備え、マトリックス表示装置はデータストリームを受信するための制御ユニットを有し、制御ユニットはデータストリームの少なくとも一部を表示パネルの少なくとも一つの電極に伝送する。そして、操作デバイスがマトリックス表示装置の表示面において操作された時、データストリームの少なくとも一部はマトリックス表示装置から操作デバイスにカップリングすることができる。よって、マトリックス表示装置にデータまたはファイルなどのデータストリームを無線通信の方式によって、操作デバイスに伝送させることができる。本発明に係るデータ伝送システムは近距離無線通信機能に合わせて応用し、表示装置を介してデータまたはファイルを他の電子装置に伝送することで、表示装置の応用性を拡大させることができる。
【００５７】
上記実施例は例示的なものであって、限定するためのものではない。本発明の技術的思想および範囲から逸脱することなく行われる等価の修正または変更は、いずれも別紙の特許請求の範囲に含まれる。
【符号の説明】
【００５８】
１          データ伝送システム
１１        操作デバイス
１２        マトリックス表示装置
１２１      表示面
１２２      マトリックス基板
１２３      基板
１２４      マトリックス
１２５      保護ガラス
１２６      制御ユニット
１２７      表示パネル
１２８      モード触発素子
ＣＦ        カラーフィルタ基板
Ｄ１〜ＤＮ    列電極
ＤＳ        データ信号
Ｅ            電極
Ｅ１１〜ＥＭＮ    画素電極
ＥＳ１〜ＥＳＮ、ＥＳＫ  データサブストリーム
Ｇ１〜ＤＮ/４    グループ
Ｓ１〜ＳＭ        行電極
ＳＳ、ＳＳ１〜ＳＳＭ  走査信号
Ｔ１１〜ＴＭＮ    トランジスタ
【図１】
2015513814.tif 000003
【図２Ａ】
2015513814.tif 000004
【図２Ｂ】
2015513814.tif 000005
【図３】
2015513814.tif 000006
【図４】
2015513814.tif 000007
【図５】
2015513814.tif 000008
【図６Ａ】
2015513814.tif 000009
【図６Ｂ】
2015513814.tif 000010
【図６Ｃ】
2015513814.tif 000011
【図６Ｄ】
2015513814.tif 000012
【手続補正書】
【提出日】平成26年8月11日(2014.8.11)
【手続補正１】
【補正対象書類名】明細書
【補正対象項目名】全文
【補正方法】変更
【補正の内容】
【発明の詳細な説明】
【技術分野】
【０００１】
本発明は、データ伝送システムに関するものであり、特に、近距離無線通信のデータ伝送システムに関するものである。
【背景技術】
【０００２】
近年、タッチパネルはすでにモバイル通信機器、デジタルカメラ、デジタル音楽プレーヤー（ＭＰ３）、個人用携帯情報端末（ＰＤＡ）、衛星測位器（ＧＰＳ）、携帯情報端末（ｈａｎｄ-ｈｅｌｄ ＰＣ）、さらにはウルトラモバイルＰＣ（Ｕｌｔｒａ Ｍｏｂｉｌｅ ＰＣ, ＵＭＰＣ）等の一般の大衆消費電子機器に幅広く応用されている。上述電子製品のタッチパネルは、いずれも表示スクリーンに結合されてタッチコントロール式の表示装置となる。
【０００３】
一方で、消費性電子製品の応用性を拡大するために、業界ではこれらの電子装置の製品に近距離通信（または、近距離無線通信）機能を追加し始めている。このうち、近距離通信（または、近距離無線通信）機能は、実際の回路接続をせずに、例えば、コマンド、音楽、写真、名刺、データ、またはファイルなどの情報を電子装置から他の電子装置に伝送する伝送ルートを提供することができる。これらの機能は、電子装置に伝送の利便性を備えさせる以外に、その応用性をも向上させることができる。これらの電子装置は、例えば、アクセス制御、チケット、入場券、クレジットカード決済、または広告メッセージを受信するなどの大量にＩＣカードを使用する場合に取って代われる。このうち、広告メッセージを受信する場合として、空港の広告スクリーンから現地の旅館情報を受信する場合、または、売り場のスクリーンからクーポンを受信する場合などが挙げられる。
【０００４】
したがって、本発明は、データ伝送システムを提供し、このデータ伝送システムは、表示装置を介してデータまたはファイルを他の電子装置に伝送することで、近距離通信機能に合わせて応用し、表示装置の応用性を拡大させることができる。
【発明の概要】
【発明が解決しようとする課題】
【０００５】
上記の課題に鑑て、本発明の目的は、表示装置に取り付けたデータ伝送システムを提供することである。このデータ伝送システムは、表示装置を介してデータまたはファイルを他の電子装置に伝送することで、近距離無線通信などの各種の無線通信環境において使用し、表示装置の応用性を拡大させることができる。
【課題を解決するための手段】
【０００６】
本発明は、以下の技術を採用することで上記課題を解決する。
【０００７】
上述の目的を達するために、データ伝送システムは操作デバイス及びマトリックス表示装置を備える。マトリックス表示装置は表示パネルと制御ユニットを備える。制御ユニットはデータストリームを受信し、データストリームの少なくとも一部を表示パネルの電極に伝送する。操作デバイスがマトリックス表示装置の表示面において操作される時、データストリームの少なくとも一部はマトリックス表示装置から操作デバイスにカップリングされる。
【０００８】
一実施例において、表示パネルは、基板及び画素マトリックスを有するマトリックス基板を備える。画素マトリックスは基板の一側に設置され、表示面は基板の他側に位置する。
【０００９】
一実施例において、電極は単独電極、または画素マトリックスにおける複数の列電極もしくは複数の行電極のうちの少なくとも一つである。
【００１０】
一実施例において、操作デバイスが表示面において操作される時、データストリームの一部は、単独電極、列電極、または行電極から操作デバイスに伝送される。
【００１１】
一実施例において、データストリームの一部は電磁効果によって、マトリックス表示装置から操作デバイスに伝送される。
【００１２】
一実施例において、制御ユニットはデータストリームを分流し、データストリームは複数のデータサブストリームを含み、操作デバイスは前記複数のデータサブストリームを受信し、これらのデータサブストリームを組み合わせる。
【００１３】
一実施例において、各データサブストリームは第一ビットと第二ビットを有し、複数の列電極は第一列電極と少なくとも一つの第二列電極を有し、複数の行電極は第一行電極と少なくとも一つの第二行電極を有し、制御ユニットは、第一の時間において、第一ビットを単独電極、第一列電極、または第一行電極に伝送すると共に、第二の時間において、第二ビットを単独電極、第二列電極、または第二行電極に伝送する。
【００１４】
一実施例において、各データサブストリームは少なくとも一つのビットを有し、制御ユニットは一つの時間において、ビットを単独電極、複数の列電極、または複数の行電極に伝送する。
【００１５】
一実施例において、各データサブストリームは第一ビットと第二ビットを有し、複数の列電極または複数の行電極は、それぞれ第一グループと少なくとも一つの第二グループを有し、制御ユニットは、第一の時間において、第一ビットを第一グループに伝送すると共に、第二の時間において、第二ビットを第二グループに伝送する。
【００１６】
一実施例において、データストリームの一部は伝送の開始情報を含む。
【００１７】
一実施例において、データストリームの一部は伝送の終了情報を含む。
【００１８】
一実施例において、データストリームの一部の伝送は、マトリックス表示装置の表示データの伝送と分かれて行い、即ち、表示データの伝送が終了した後、または表示データの伝送が開始する前に行う。
【００１９】
一実施例において、データストリームの一部の伝送が終了した後、マトリックス表示装置は少なくとも一つの完全なフレーム画面、または一部のフレーム画面を表示する。
【００２０】
一実施例において、データストリームの一部の伝送が開始する前、マトリックス表示装置が表示する画面における少なくとも一つのフレームには、データストリームを伝送しようとするメッセージが含まれる。
【００２１】
一実施例において、データストリームの伝送が終了した後、マトリックス表示装置が表示する画面における少なくとも一つのフレームには、データストリームの伝送結果のメッセージが含まれる。
【００２２】
一実施例において、データストリームの伝送が終了する前、マトリックス表示装置が表示する画面における少なくとも一つのフレームには、データの伝送に使われた電極のエリアが標示される。
【００２３】
一実施例において、伝送された複数のデータサブストリームのうちの少なくとも一つはマトリックス表示装置を識別するための情報を含む。
【００２４】
一実施例において、複数のデータサブストリームによって発生され、電極に印加される信号は、直流成分を含まない交流信号である。
【発明の効果】
【００２５】
上記により、本発明に係るデータ伝送システムは操作デバイス及びマトリックス表示装置を備え、マトリックス表示装置はデータストリームを受信するための制御ユニットを有する。制御ユニットはデータストリームの少なくとも一部を表示パネルの少なくとも一つの電極に伝送し、且つ操作デバイスがマトリックス表示装置の表示面において操作された時、データストリームの少なくとも一部はマトリックス表示装置から操作デバイスにカップリングすることができる。もって、マトリックス表示装置にデータまたはファイルなどのデータストリームを無線通信の方式によって、操作デバイスに伝送させることができる。本発明に係るデータ伝送システムは近距離無線通信機能に合わせて応用し、表示装置を介してデータまたはファイルを他の電子装置に伝送することで、表示装置の応用性を拡大させることができる。
【図面の簡単な説明】
【００２６】
【図１】本発明の好ましい実施例に係るデータ伝送システムを示したブロック図である。
【図２Ａ】本発明の一実施例に係るマトリックス表示装置の側面図である。
【図２Ｂ】本発明のもう一つの実施例に係るマトリックス表示装置の側面図である。
【図３】本発明に使用される薄膜トランジスタ基板を示した図である。
【図４】図３に示した薄膜トランジスタ基板のうちの二つの列電極と二つの行電極の信号を示した図である。
【図５】本発明のマトリックス表示装置の外観を示した図である。
【図６Ａ】データサブストリームと行電極の伝送関係を示した図である。
【図６Ｂ】データサブストリームと行電極の伝送関係を示した図である。
【図６Ｃ】データサブストリームと行電極の伝送関係を示した図である。
【図６Ｄ】データサブストリームと行電極の伝送関係を示した図である。
【発明を実施するための形態】
【００２７】
以下、図面を参照しながら本発明のデータ伝送システムにおける好適な実施例について説明する。このうち同じ構成要素は同じ符号を付して説明する。
【実施例】
【００２８】
図１を参照されたい。  図１は本発明の好ましい実施例に係るデータ伝送システム１を示したブロック図である。
【００２９】
本発明のデータ伝送システム１は、操作デバイス１１及びマトリックス表示装置１２を備え、操作デバイス１１とマトリックス表示装置１２は、例えば、コンデンサカップリングまたは誘導カップリングによって互いにカップリングすることで、データまたはファイルを伝送するので、非接触によるデータやファイルの伝送であり、無線方式によるデータやファイルの伝送とも言われる。本実施例において、操作デバイス１１は、例えば、受信装置（例えば、カードリーダ、アクセスシステムなど）、またはＩＣカード、または他の電子装置である。操作デバイス１１内には処理制御システム、保存システム、または伝送システムなどの機能性サブシステムが設けられる。ここで言うところの「システム」は、ハードウェア、ソフトウェア、またはファームウェア、またはその組合せから構成されるものである。
【００３０】
次に、図２Ａを参照されたい。図２Ａは本発明の一実施例に係るマトリックス表示装置１２における表示面１２１側の側面図である。マトリックス表示装置１２は、マトリックス基板１２２と表示面１２１を備える。マトリックス基板１２２は基板１２３と電極Ｅを含み、電極Ｅは基板１２３の一側に設置され、表示面１２１は基板１２３の他側に位置する。マトリックス基板１２２は、従来の液晶表示装置のカラーフィルタ基板であることができる。電極Ｅはカラーフィルタ基板の共通電極（common electrode）及び少なくとも一つのデータ伝送用の単独電極を含む。
【００３１】
また、図２Ｂは本発明のもう一つの実施例である。マトリックス基板１２２は基板１２３及びマトリックス１２４を備え、且つマトリックス１２４は複数の電極を含む（図示されない）。従来の液晶表示装置のマトリックス基板と比べて、本実施例のマトリックス表示装置１２は反転配置であり、つまり、図２Ｂに示したカラーフィルタ基板ＣＦに相対して、マトリックス基板１２２の基板１２３は比較的にユーザから近い表示面１２１を有している。マトリックス表示装置１２を反転配置にすることで、信号のカップリングを有利にすることができる。次は、マトリックス基板１２２を主に説明する。
【００３２】
本実施例において、表示面１２１とは、ユーザがマトリックス表示装置１２の表示画像を見ている時、マトリックス表示装置１２の最もユーザに近い表面を指す。ここでは、マトリックス表示装置１２は保護ガラス１２５を更に備える。保護ガラス１２５は、基板１２３におけるマトリックス１２４と対向する一側に設置され、表示面１２１は保護ガラス１２５におけるユーザから近い側の表面である。また、基板１２３において、保護ガラス１２５に近い一側には光学膜またはスチールフレーム等の他の構成素子を備えることができる。また、仮に、表示装置が液晶表示装置である場合、表示装置は更にカラーフィルタ基板ＣＦを備えることができる。カラーフィルタ基板ＣＦはマトリックス基板１２２のマトリックス１２４を有する一側に隣接設置し、且つマトリックス基板１２２に対向して設置される。また、仮に表示装置が電子ペーパーである場合、表示装置は、マトリックス基板１２２のマトリックス１２４を有する一側に隣接設置される電気泳動性材料（図示されない）を更に備えることができる。
【００３３】
本実施例において、マトリックス基板１２２は画素マトリックスを有するマトリックス基板を指している。画素マトリックスは、例えば、液晶表示パネル、有機発光ダイオードパネル、発光ダイオードパネル、電気泳動表示パネルまたはＭＥＭＳ表示パネル等のものである。マトリックス１２４は複数の列電極、複数の行電極、及び複数の画素電極を備え、前記複数の列電極と前記複数の行電極は交差して設置される。また、マトリックス１２４は、アクティブマトリックス（active matrix）またはパッシブマトリックス（passive matrix）である。ここで、マトリックス１２４は、アクティブマトリックスを例とする。マトリックス１２４は、更に複数のトランジスタを備え、前記複数のトランジスタは、それぞれ前記複数の列電極、前記複数の行電極、及び前記複数の画素電極に電気的に接続される。
【００３４】
図１を再度参照されたい。マトリックス表示装置１２は制御ユニット１２６と表示パネル１２７を更に備え、制御ユニット１２６はデータストリーム（data stream）を受信、且つ処理し、データストリームの少なくとも一部を表示パネル１２７の電極に伝送する。表示パネル１２７は、上記のマトリックス基板１２２を備える。また、データストリームはデジタルデータストリーミング、またはデジタルファイルストリーミングであり、且つタッチコントロール情報、指令情報、識別情報、取引情報、広告情報、クーポン情報、ファイル情報、またはその他の情報である。表示パネル１２７の電極は、画素マトリックスから独立する単独電極（一本の、または複数本の電極で構成される）、または画素マトリックスにおける複数の列電極もしくは複数の行電極のうちの少なくとも一つである。また、制御ユニット１２６はデータストリームを少なくとも一つのデータサブストリームに分流して処理すると共に、データサブストリームをマトリックス表示装置１２の表示パネル１２７の電極にそれぞれ伝送し、操作デバイス１１がこれらのデータサブストリームを受信する。データストリームの処理方法は、直列−並列変換（series-to-parallel conversion）、コード化、暗号化、ヘッダファイル（データの大きさ、検査コード、シリアルナンバー、追跡データを含む）を書き込む、或いは、始動タグ及び／または終了タグを伝送するなどの方法を含む。通常の通信伝送方法と異なる点は、本実施例では異なる電極を同時に伝送の送信源（多通信ルート）として使用して、伝送を行うことができることである。これらの通信ルートは、空間的分離、または変調技術などの方式を利用して、互いへの妨害を減少させることができる。注意すべきことは、データストリームの直列−並列変換方式は、順に行うか（例えば、データストリームの第一ビットから第Ｎビットを第一データサブストリームとして分流し、第Ｎ＋１ビットから第Ｍビットを第二データサブストリームとして分流するなど）、または交差して行うか（例えば、第一ビットを第一データサブストリームに分け、第二ビットを第二データサブストリームに分け、…、第Ｎビットを最後のデータサブストリームに分け、第Ｎ＋１ビットを第一データサブストリームに分け、…以下、これと同様とする。）、または上記両者の組み合わせによって行うものである。
【００３５】
図１と図２Ｂを再度参照されたい。ユーザが操作デバイス１１を利用して、マトリックス表示装置１２の表示面１２１で操作を行った時、データストリームの一部はマトリックス表示装置１２のマトリックス基板１２２から電磁効果によって操作デバイス１１にカップリング（例えば、コンデンサカップリングまたは誘導カップリング）される。ここにおいて、カップリングの方法は、無線通信の方式によって、デジタル情報（即ち０、または１）をマトリックス表示装置１２から操作デバイス１１に伝送するものを採用している。操作デバイス１１が表示面１２１から伝送されたデータストリームを受信する時、操作デバイス１１は受信したデータストリームに対し逆方向処理を行うことで、伝送された情報を取得する。この場合、操作デバイス１１は、マトリックス表示装置１２の表示面１２１に接近、または接触することで、信号を電磁効果によって操作デバイスにカップリングする方法により、データを受信する。
【００３６】
仮に、画素マトリックスにおける列電極、または行電極を利用してデータストリームの一部を伝送する時には、マトリックス表示装置１２の表示データとは異なる時間で伝送することができる。例えば、表示データの伝送が終了した後、または表示データの伝送が開始する前に、データストリームの一部を操作デバイス１１に伝送する。注意すべきことは、ここにおいて、表示データとデータストリームの一部は、単に異なる目的を有する二つのデータが電極において伝送されることを示すものにすぎず、表示データが操作デバイスにカップリングされることや、データストリームの一部が表示されることを制限しないという点である。つまり、マトリックス表示装置１２は、一つのフレーム（frame）画面の表示が終了した後及び次のフレーム画面の表示が開始する前に、または一つのフレーム画面の表示期間に、データサブストリームを操作デバイス１１に伝送することができる。注意すべきことは、画素マトリックスの外部にある単独電極を利用してデータストリームの伝送を行う場合、フレーム画面の伝送時間に合わせなくても良いという点である。
【００３７】
また、データストリームを操作デバイス１１に伝送する過程が完成した後、マトリックス表示装置１２は、少なくとも一つの完全なフレーム画面、または一部のフレーム画面を表示することができる。つまり、データストリームの伝送が終了する時間は、一つのフレーム画面の表示が終了した後及び次のフレーム画面の表示が開始する前に、または一つのフレーム画面の表示期間内にあることができ、ここでは特に制限しない。また、データストリームのカップリングを開始する前に、マトリックス表示装置１２は、少なくとも一つのフレーム画面を用いて、データストリームが操作デバイス１１に伝送されようとするメッセージを表示することができる。また、データストリームの伝送が終了した後、マトリックス表示装置１２は、少なくとも一つのフレーム画面を用いて、データストリームの伝送が終了したメッセージを表示することもできる。つまり、第一のデータストリームの伝送が開始する前も、最後のデータストリームの伝送が終了した後も、マトリックス表示装置１２は提示画面を表示し、ユーザに注意を促すことができる。また、データストリームの伝送期間において、マトリックス表示装置１２は、伝送に用いられた電極のエリア範囲を表示画面に標示することで、操作デバイス１１の信号カップリングをしやすくすることができる。
【００３８】
以下、液晶表示装置の薄膜トランジスタ基板（TFT substrate）をマトリックス基板１２２の例として、データサブストリームがどのようにしてマトリックス表示装置１２の列電極または行電極から操作デバイス１１にカップリングされるのかを説明する。
【００３９】
図２Ｂと図３を同時に参照されたい。図３は本実施例に使用される薄膜トランジスタ基板を示した図である。
【００４０】
マトリックス１２４は、複数の列電極Ｓ１〜ＳＭ、複数の行電極Ｄ１〜ＤＮ、及び複数の画素電極Ｅ１１〜ＥＭＮを備える。複数の列電極Ｓ１〜ＳＭと複数の行電極Ｄ１〜ＤＮは交差して設置され、実質上は、相互に垂直または角度を挟んで設置される。また、マトリックス１２４は、更に複数のトランジスタＴ１１〜ＴＭＮを備え、これらのトランジスタＴ１１〜ＴＭＮはそれぞれ複数の列電極Ｓ１〜ＳＭ、複数の行電極Ｄ１〜ＤＮ、及び複数の画素電極Ｅ１１〜ＥＭＮに電気的に接続される。ここでは、列電極Ｓ１〜ＳＭは走査線を例とし、行電極Ｄ１〜ＤＮはデータ線を例とするが、当然、データ線を列電極Ｓ１〜ＳＭとし、走査線を行電極Ｄ１〜ＤＮとすることもできる。また、基板１２３にはさらに駆動モジュールが設置され、この駆動モジュールは、データ駆動回路、スキャン駆動回路、タイミング制御回路（図示されない）及びガンマ補正回路（図示されない）を含み、駆動モジュールを駆動することによって、液晶表示パネルに画像を表示させることができる。駆動モジュールで画像を駆動する技術は周知の技術であるため、ここでは説明しない。また、この態様のマトリックス基板は一例として挙げたものに過ぎず、本発明の範囲を制限するものではない。本実施例の特徴は、列電極Ｓ１〜ＳＭ及び／または行電極Ｄ１〜ＤＮのうちの少なくとも一つを利用してマトリックス基板１２２からデータサブストリームを操作デバイス１１に伝送することにある。
【００４１】
本実施例において、行電極Ｄ１〜ＤＮは、通常のフレーム画面の表示データ信号を伝送する外、ここにおいて、データサブストリームを更に伝送することができる。例えば、表示信号に直接に周波数が表示信号より高いデータサブストリームを重ね合わせるか、または、データ表示信号を伝送する際に発生した帰線期間において伝送することができる。帰線期間は、例えば、全ての列電極Ｓ１〜ＳＭがスキャンを終了した後、且つ、次のスキャンが開始する前の期間（フレーム画面とフレーム画面の間の帰線期間）であり、または、一本の列電極がスキャンを完了し、且つ、次の列電極がスキャンを開始する前の期間であり、または、全ての列電極のスキャン期間内に、表示データを短縮すると同時に、データ表示信号を伝送する前に発生した期間等である。ここでは、データサブストリームは、タイミングコントロール（Ｔ-ｃｏｎ）回路の機能を拡大して、さらに、データ駆動回路またはスキャン駆動回路を拡大して供給されるようにすることにより、回路設計を簡潔にすることができる。
【００４２】
図４を参照されたい。図４は、図３に示した隣接する二つの列電極と隣接する二つの行電極の信号を示した図である。ここでは、各列のトランジスタがオンにされ、表示データを表示すると同時にデータストリームを伝送する状態を例とする。注意すべきことは、トランジスタがオンにされたかどうかは必ずしも必要なものでなく、トランジスタがオフ状態でも、データストリームを伝送することができることである。この時、各データサブストリームは、それぞれ行電極、または列電極に伝送することができる。列電極Ｓ１〜ＳＭはそれぞれ走査信号ＳＳを伝送して、順に各列のトランジスタをオンにし、各列のトランジスタをオンにした時間において、各行電極Ｄ１〜ＤＮは、それぞれデータサブストリームＥＳと表示データ信号ＤＳを伝送する。本実施例において、図４に示すように、列電極ＳＭ−１がその走査信号ＳＳＭ−１を伝送する時、全部の行電極Ｄ１〜ＤＮは、データサブストリームＥＳＭ−１を伝送する。列電極ＳＭがその走査信号ＳＳＭを伝送する時、全部の行電極Ｄ１〜ＤＮは、データサブストリームＥＳＭを伝送する。図４において、このデータサブストリームＥＳＭ−１、データサブストリームＥＳＭは、表示データ信号ＤＳと異なる電圧レベルで表示されたが、実施時には同一の電圧レベルで行うことができる。従って、行電極Ｄ１〜ＤＮは、列電極Ｓ１〜ＳＭが走査信号ＳＳ１〜ＳＳＭを伝送するにつれ、それぞれ第一のデータストリームＥＳ１〜第ＭのデータストリームＥＳＭを伝送し、データストリームＥＳの少なくとも一部を操作デバイス１１にカップリングすることができる。
【００４３】
説明を補充すべきことは、図４に示したデータサブストリームＥＳＭとＥＳＭ−１は高レベルの１で表示されているが、当然、低レベルの０で表示することもできる。また、信号の極性による問題を回避するために、前記複数のデータサブストリームの信号は直流成分を含まない交流信号を採用することができる。また、データサブストリームＥＳＭとＥＳＭ−１はそれぞれ一ビットのデータ、または複数ビットのデータを含められ、ここでは特に限定しない。図４のように、すべての行電極が同一のフレーム時間において、同一のデータサブストリームを伝送する態様以外に、各行電極Ｄ１〜ＤＮは、それぞれ異なるデータサブストリームＥＳＭ〜ＥＳＭを伝送することができ、数本の行電極を一組として同一のサブストリームを伝送することもできる。例えば、行電極Ｄ１〜Ｄ３は、第一データサブストリームＥＳ１を伝送し、行電極Ｄ４〜Ｄ６は、第二データサブストリームＥＳ２を伝送する。同じ原理は、列電極に伝送されるデータサブストリームにも適用できる。また、データストリームの伝送の正確性を確保するために、異なる時間にデータサブストリームを繰り返して伝送することもできる。つまり、異常を発見した時に、再度、同一のデータサブストリームを伝送することで、操作デバイス１１のデータを受信する正確性を確保することができる。当然、行電極Ｄ１〜ＤＮと列電極Ｓ１〜ＳＭはより複雑なデータサブストリームを伝送することもでき、以下に詳細に説明する。
【００４４】
また、上記の変調方式は振幅変調（Amplitude Modulation）技術であり、即ち、振幅の強弱をデジタル信号の１または０として表示する技術である。しかしながら、周波数変調（Frequency Modulation）の技術を使用し、周波数の変化をデジタル信号の１または０として表示することもできる。例えば、単位時間内に、振幅の上下変化が５つであれば、それを１と定義し、その他を０と定義する。または、位相偏移変調（Phase Shift Modulation）の技術を使用し、例えば、一高レベルに一低レベルを加えた位相変化を０と定義し、一低レベルに一高レベルを加えた位相変化を１と定義する。ここでは、変調方式を限定しない。また、隣接する電極による妨害を避けるため、異なる電極の間には、時分割、周波数分割、または符号分割などの技術を採用することができる。
【００４５】
ユーザが操作デバイス１１を持って、マトリックス表示装置１２の表示面１２１で操作デバイス１１を操作すると（例えば、表示面に接触したり、または表示面１２１に近づいたりする）、データサブストリームはマトリックス基板１２２の表示面１２１からコンデンサカップリングによって操作デバイス１１にカップリングされる。本実施例では、行電極Ｄ１〜ＤＮによってデータサブストリームＥＳを伝送する場合を例としているため、各行電極Ｄ１〜ＤＮはコンデンサカップリングのうちの一方の電極となり、操作デバイス１１にはコンデンサカップリングのもう一方の電極が設けられることになる。操作デバイス１１がコンデンサカップリングによって、すべてのデータサブストリームＥＳを受信した後、操作デバイス１１は、受信したデータサブストリームＥＳを組み合わせることで、完全なデータストリームを得ることができる。このデータストリームは、例えば、テキストファイル、イメージファイルまたはオーディオビジュアルファイルなどのものである。例えば、操作デバイス１１がアクセス制御ユニットである場合、マトリックス表示装置１２の表示面１２１が操作デバイス１１に近づいたりする時、操作デバイス１１にマトリックス表示装置１２から伝送されたドアオープンまたはドアロックの情報を受信させることで、アクセス制御、またはロックを解除することができる。マトリックス表示装置１２がパブリックディスプレイ（public display）であり、操作デバイス１１が携帯電話、またはその他の個人用デバイスである場合、操作デバイス１１をマトリックス表示装置１２の表示面１２１に近づけたりすることにより、例えば、広告情報、特恵情報、地理情報などを個人用デバイスに送信させて持ち帰ることができる。
【００４６】
また、図５を参照されたい。図５は本発明に係るデータ伝送システム１のマトリックス表示装置１２の外観を示した図である。
【００４７】
マトリックス表示装置１２はモード触発素子１２８を更に備え、ユーザまたは操作デバイス１１がこのモード触発素子１２８を触発することで、マトリックス表示装置１２を起動してタスクモードにし、データストリームを送信する。マトリックス表示装置１２は一人用のタッチコントロール表示装置を例とすると、ユーザがデータストリームを送信する必要がある時、モード触発素子１２８を触発することで、マトリックス表示装置１２は起動されて、タスクモードに入りデータストリームを送信し始める。この時、列電極または行電極は、マトリックス表示装置１２のタッチコントロール機能及び表示機能の全部または一部をシャットダウンすることにより、タッチパネルに触れて誤動作を起こすことを防止すると同時に、電力を節約する効果を達成することができる。ここで注目すべきは、このモード触発素子１２８のタスクモードは、複数の態様があるということである。例えば、一度触発した後ある一定の時間を経過すると前のタスクモードに戻るか、毎回触発する度にタスクモードが変更されるか、または触発が継続している時のみタスクモードが維持される等の方式がある。モード触発素子１２８の配置は表示エリア外に限定されず、表示パネル、またはタッチパネルと統合することができる。このモード触発素子１２８は、例えば、機械スイッチ、タッチコントロールスイッチ、またはアイコン（icon）である。
【００４８】
次に、図６Ａから図６Ｄを参照しつつ、制御ユニット１２６（図６Ａから図６Ｄに表示されない）がデータサブストリームをマトリックス表示装置１２の行電極に伝送する複数の態様をそれぞれ説明する。当然、データサブストリームをマトリックス表示装置１２の列電極、または単独電極、またはそれらの組合せに伝送する方式も同一であるので、ここで繰り返して述べない。図６Ａから図６Ｄはデータサブストリームと行電極Ｄ１〜ＤＮの伝送関係を示した図である。
【００４９】
制御ユニット１２６は一つのデータストリームを複数のデータサブストリームに分流し、且つマトリックス表示装置１２が全部のデータサブストリームを操作デバイス１１にカップリングした時、操作デバイス１１はこれらのデータサブストリームを受信し、これらのデータサブストリームを最初に伝送したデータストリームに組み合わせることができる。当然、操作デバイス１１はデータストリームの一部を受信することもでき、前記データストリームの一部は、一つのデータサブストリーム、または一つのデータサブストリームの一部、または複数のデータサブストリームであることができる。各データサブストリームはそれぞれ一ビット、または複数ビットのデータを有する。また、制御ユニット１２６は、データストリームを少なくとも一つのデータサブストリームの情報に分流処理する以外に、伝送する開始情報または終了情報を含ませることで、操作デバイス１１に伝送の開始と終了を確認させることもできる。操作デバイス１１は、前記複数のデータサブストリームと開始及び終了の伝送情報を受信した後、その結果をデータストリームに処理する。また、データサブストリームはマトリックス表示装置１２の識別情報を含み、例えば、メーカー、型番、シリアル番号などの情報を、操作デバイス１１に受信後に識別させるためである。
【００５０】
図６Ａに示すように、本実施例において、制御ユニット１２６はデータストリームを複数のデータサブストリームに分流し、且つ各一データサブストリームは少なくとも一ビットのデータを有する。ここにおいて、各データサブストリームは一ビットのみのデータを有することを例とする。当然、その他の実施例において、各データサブストリームは複数ビットのデータを有することもできる。また、一つの時間（例えば、一つの列電極の走査時間、または一つのフレーム時間内、または一つのフレーム時間と他のフレーム時間の間の時間）において、制御ユニット１２６はデータサブストリーム（例えば、第一データサブストリームＥＳ１）のビットデータをそれぞれ全ての行電極Ｄ１〜ＤＮに伝送することもできる。
【００５１】
また、図６Ｂに示すように、もう一つの時間において、制御ユニット１２６はもう一つのデータサブストリーム（例えば、第二データサブストリームＥＳ２）のビットデータをそれぞれ全ての行電極Ｄ１〜ＤＮに伝送し、同様の動作を他の時間において繰り返させることができる。つまり、制御ユニット１２６は、一つの時間内において、一つのデータサブストリームを全ての行電極Ｄ１〜ＤＮに伝送し、且つもう一つの時間内において、もう一つのデータサブストリームを全ての行電極Ｄ１〜ＤＮに伝送することができる。全てのデータサブストリームをそれぞれマトリックス表示装置１２の行電極Ｄ１〜ＤＮによって伝送し、且つ全部を操作デバイス１１に伝送した後、操作デバイス１１はそれらを完全なデータに組み合わせる。制御ユニット１２６はデータサブストリームのビットデータをそれぞれマトリックス表示装置１２の全ての行電極Ｄ１〜ＤＮに伝送するので、操作デバイス１１をマトリックス表示装置１２の表示面１２１のどの位置で操作しても、操作デバイス１１はデータサブストリームのビットデータを受信することができるため、データの受信がもれることは発生しにくくなる。
【００５２】
上記の態様は、電極と操作デバイス１１との間に単一の伝送チャネル（single transmission channel）を構築したものであり、すなわち、単一の送信源を有し、同一の時間において、一つのデータのみが伝送されるようにしたものである。また、多チャネル伝送のモードを採用することもできる。図６Ｃに示すように、本実施例において、制御ユニット１２６はデータストリームを複数のデータサブストリームＥＳ１〜ＥＳＫに分流し、前記複数のデータサブストリームＥＳ１〜ＥＳＫはそれぞれ複数のビットデータを有し、各データサブストリーム（例えば、第一データサブストリームＥＳ１）はＮ個のビットを有し、これらＮ個のビットはそれぞれ行電極Ｄ１〜ＤＮに対応して伝送される。制御ユニット１２６は、第一データサブストリームＥＳ１の第一ビットを行電極Ｄ１に送信し、第二ビットを行電極Ｄ２に送信し、最後に第一データサブストリームＥＳ１の第Ｎビットを行電極ＤＮに送信し、更にこれらの行電極Ｄ１〜ＤＮによって、これらのビットデータを一定の期間内に操作デバイス１１に送信し、以後上記のデータ送信ステップを繰り返す。注意すべきことは、データを直接に電極に送信する以外に、データをバッファ（buffer）に送信し、同一時間に電極に送信することもできる。多チャネル伝送のモードにおいて、上記の各データサブストリームを順に（例えば、第一データサブストリームＥＳ１の伝送が終了した後に、第二データサブストリームＥＳ２を伝送し、以下同様とする。）各電極に送信する以外に、各データサブストリームと電極との間には異なる組み合わせを設けることもできる。例えば、第一データサブストリームＥＳ１を行電極Ｄ1のみから送信し、第二データサブストリームＥＳ2を行電極Ｄ２のみから送信するなどである。ここにおいて、行電極Ｄ１〜ＤＮがそれぞれ全ての行電極のうちの一つを代表する場合を例として説明したが、各行電極Ｄ１〜ＤＮが、それぞれ複数の行電極を代表し、または各々複数の電極から構成された電極グループを代表する場合も可能である（例えば、行電極Ｄ１は１本目、３本目、及び７本目の電極の組合せを代表するなど。これについては、後に詳述する）。そして、これらの電極はいずれも操作デバイス１１の受信範囲内に配置されている。
【００５３】
また、上記のように、データサブストリームはその特定のビット数に基づいて複数のデータサブストリームに分流され、且つ前記複数の行電極を複数のグループに分け、データサブストリーム内のビットデータをそれぞれ前記複数の行電極のグループに伝送するようにすることができる。例えば、データストリームを行電極の数より少ないデータサブストリームに分流し、且つある数の行電極を同一グループに分け、データサブストリーム内のビットデータを、それぞれ前記複数の行電極のグループに伝送することによって、操作デバイス１１に伝送することができる。
【００５４】
図６Ｄに示すように、本実施例において、各データサブストリームＥＳ１〜ＥＳＫはそれぞれ二つのビット（即ち、第一ビットと第二ビットである）のデータを有し、前記複数の行電極Ｄ１〜ＤＮでは、４本の行電極ごとに一つのグループを構成することができ（例えば、行電極Ｄ１〜Ｄ４を第一グループＧ１とし、行電極Ｄ５〜Ｄ８を第二グループＧ２とする。当然、異なる数量の行電極を一つのグループに構成することもできる）、且つ、制御ユニット１２６は、第一の時間において第一データサブストリームＥＳ１の第一ビットを、及び第二の時間において第二ビットを、それぞれ第一グループＧ１の行電極Ｄ１〜Ｄ４及び第二グループＧ２の行電極Ｄ５〜Ｄ８に対応して伝送し、且つ第二データサブストリームＥＳ２（図示されない）の第一ビット及び第二ビットを異なる時間において、それぞれ第三グループＧ３及び第四グループＧ４（図示されない）に対応して伝送し、以下同様とすることができる。
【００５５】
また、データサブストリームを操作デバイス１１に伝送する正確性を高めるために、異なる時間において、データサブストリームＥＳ１〜ＥＳＫのビットデータを、それぞれが対応する第一グループＧ１〜第Ｎ/４グループＧＮ/４に繰り返して伝送することによって、異なる時間の伝送結果を比較し、データ伝送の正確性を確保することができる。そして、操作デバイス１１は伝送の規則に基づいて、受信したデータサブストリームＥＳ１〜ＥＳＫを組合せることで、データを復元することができる。また、上記の時間は一つの走査時間内、または一つのフレーム時間（frame time）内、または隣接する二つのフレーム時間の間である。
【００５６】
上記をまとめると、本発明に係るデータ伝送システムは操作デバイス及びマトリックス表示装置を備え、マトリックス表示装置はデータストリームを受信するための制御ユニットを有し、制御ユニットはデータストリームの少なくとも一部を表示パネルの少なくとも一つの電極に伝送する。そして、操作デバイスがマトリックス表示装置の表示面において操作された時、データストリームの少なくとも一部はマトリックス表示装置から操作デバイスにカップリングすることができる。よって、マトリックス表示装置にデータまたはファイルなどのデータストリームを無線通信の方式によって、操作デバイスに伝送させることができる。本発明に係るデータ伝送システムは近距離無線通信機能に合わせて応用し、表示装置を介してデータまたはファイルを他の電子装置に伝送することで、表示装置の応用性を拡大させることができる。
【００５７】
上記実施例は例示的なものであって、限定するためのものではない。本発明の技術的思想および範囲から逸脱することなく行われる等価の修正または変更は、いずれも別紙の特許請求の範囲に含まれる。
【符号の説明】
【００５８】
１          データ伝送システム
１１        操作デバイス
１２        マトリックス表示装置
１２１      表示面
１２２      マトリックス基板
１２３      基板
１２４      マトリックス
１２５      保護ガラス
１２６      制御ユニット
１２７      表示パネル
１２８      モード触発素子
ＣＦ        カラーフィルタ基板
Ｄ１〜ＤＮ 行電極
ＤＳ        データ信号
Ｅ            電極
Ｅ１１〜ＥＭＮ    画素電極
ＥＳ１〜ＥＳＮ、ＥＳＫ  データサブストリーム
Ｇ１〜ＧＮ/４    グループ
Ｓ１〜ＳＭ 列電極
ＳＳ、ＳＳ１〜ＳＳＭ  走査信号
Ｔ１１〜ＴＭＮ    トランジスタ
【手続補正２】
【補正対象書類名】特許請求の範囲
【補正対象項目名】全文
【補正方法】変更
【補正の内容】
【特許請求の範囲】
【請求項１】
操作デバイスと、
表示パネルと制御ユニットを有するマトリックス表示装置とを備え、
前記制御ユニットはデータストリームを受信し、前記データストリームの少なくとも一部を前記表示パネルの電極に伝送し、
前記操作デバイスが前記マトリックス表示装置の表示面において操作される時、前記データストリームの少なくとも一部は前記マトリックス表示装置から前記操作デバイスにカップリングされることを特徴とするデータ伝送システム。
【請求項２】
前記表示パネルは、基板及び画素マトリックスを有するマトリックス基板を備え、前記画素マトリックスは前記基板の一側に設置され、前記表示面は前記基板の他側に位置し、
前記電極は、前記マトリックス基板における単独電極、または前記画素マトリックスにおける複数の列電極もしくは複数の行電極のうちの少なくとも一つであり、前記操作デバイスが前記表示面において操作される時、前記データストリームの一部は、前記単独電極、前記列電極、または前記行電極から前記操作デバイスに伝送されて、
前記データストリームの一部は前記データストリームの開始情報または終了情報を含むことを特徴とする請求項１に記載のデータ伝送システム。
【請求項３】
前記データストリームの一部は電磁効果によって、前記マトリックス表示装置から前記操作デバイスにカップリングされることを特徴とする請求項１に記載のデータ伝送システム。
【請求項４】
前記制御ユニットは前記データストリームを分流し、前記データストリームは複数のデータサブストリームを含み、前記操作デバイスは前記複数のデータサブストリームを受信し、前記複数のデータサブストリームを組み合わせて、
各前記データサブストリームは少なくとも一つのビットを有し、前記制御ユニットは一つの時間において、前記ビットを前記単独電極、前記複数の列電極、または前記複数の行電極に伝送することを特徴とする請求項２に記載のデータ伝送システム。
【請求項５】
各前記データサブストリームは第一ビットと第二ビットを有し、前記複数の列電極は第一列電極と少なくとも一つの第二列電極を有し、前記複数の行電極は第一行電極と少なくとも一つの第二行電極を有し、前記制御ユニットは、第一の時間において、前記第一ビットを前記単独電極、前記第一列電極、または前記第一行電極に伝送すると共に、第二の時間において、前記第二ビットを前記単独電極、前記第二列電極、または前記第二行電極に伝送することを特徴とする請求項４に記載のデータ伝送システム。
【請求項６】
各前記データサブストリームは第一ビットと第二ビットを有し、前記複数の列電極、または前記複数の行電極はそれぞれ第一グループと少なくとも一つの第二グループを有し、前記制御ユニットは、第一の時間において、前記第一ビットを前記第一グループに伝送すると共に、第二の時間において、前記第二ビットを前記第二グループに伝送することを特徴とする請求項４に記載のデータ伝送システム。
【請求項７】
前記データストリームの一部と前記マトリックス表示装置の表示データは異なる時間で電極において伝送されることを特徴とする請求項１に記載のデータ伝送システム。
【請求項８】
前記データストリームの一部が前記操作デバイスに伝送終了した後、前記マトリックス表示装置は、少なくとも一つの完全なフレーム画面または一部のフレーム画面を表示することを特徴とする請求項１に記載のデータ伝送システム。
【請求項９】
前記データストリームの伝送を開始する前、前記マトリックス表示装置が表示する画面における少なくとも一つのフレームには、前記データストリームを前記操作デバイスに伝送しようとするメッセージが含まれることを特徴とする請求項１に記載のデータ伝送システム。
【請求項１０】
前記データストリームの伝送が終了した後、前記マトリックス表示装置が表示する画面における少なくとも一つのフレームには、前記データストリームの伝送結果のメッセージが含まれることを特徴とする請求項１に記載のデータ伝送システム。
【請求項１１】
前記データストリームの伝送が終了する前、前記マトリックス表示装置が表示する画面における少なくとも一つのフレームには、データの伝送に使われた電極のエリアが標示されることを特徴とする請求項１に記載のデータ伝送システム。
【請求項１２】
前記複数のデータサブストリームのうちの少なくとも一つは前記マトリックス表示装置を識別するための情報を含むことを特徴とする請求項４に記載のデータ伝送システム。
【手続補正３】
【補正対象書類名】図面
【補正対象項目名】図４
【補正方法】変更
【補正の内容】
【図４】
2015513814.tif 000013
【国際調査報告】
2015513814.tif 000014
2015513814.tif 000015
2015513814.tif 000016
2015513814.tif 000017